(57)【特許請求の範囲】
【請求項１】
少なくともデータ部と該データ部に先立つデータ識別部とからなるパケット複数個により構成されるフレーム形態でデータを伝送するデータ伝送方法であって、該データは各パケットの同一ビット位置でインターリーブされて伝送されるデータ伝送方法において、前記データ識別部において前記インターリーブ方向にビット列が有意化されることを特徴とするデータ伝送方法。
【請求項２】
前記データ識別部において前記インターリーブ方向に有意化されるビット列が、フレーム識別子を含むことを特徴とする請求項１に記載のデータ伝送方法。
【請求項３】
データ識別部における最上位ビットからなる前記ビット列が、フレーム識別子を含むことを特徴とする請求項２に記載のデータ伝送方法。
【請求項４】
少なくともデータ部と該データ部に先立つデータ識別部とからなるパケット複数個により構成されるフレーム形態で伝送されるデータであって、各パケットの同一ビット位置でインターリーブされて伝送されるデータを受信するデータ受信機において、
前記データ識別部において前記インターリーブ方向に有意化されるビット列をデコードするための手段が設けられることを特徴とするデータ受信機。
【請求項５】
前記データ識別部において前記インターリーブ方向に有意化されるビット列が、フレーム識別子を含むことを特徴とする請求項４に記載のデータ受信機。
【請求項６】
データ識別部における最上位ビットからなる前記ビット列が、フレーム識別子を含むことを特徴とする請求項５に記載のデータ受信機。
【請求項７】
前記フレーム識別子が所望のフレームを識別する場合のみ、前記データ部をデコードすることを特徴とする請求項５又は６に記載のデータ受信機。
【請求項８】
前記データ識別部が識別ビットを含み、前記識別ビットが有効の場合のみ、前記データ識別部において前記インターリーブ方向に有意化されるビット列をデコードすることを特徴とする請求項４乃至７の何れか一項に記載のデータ受信機。
【請求項９】
前記識別ビットは前記データ識別部における１ビットであり、前記インターリーブ方向に有意化されるビット列は、前記データ識別部の前記識別ビット以外の各ビット位置におけるビット列であることを特徴とする請求項８に記載のデータ受信機。
【請求項１０】
前記識別ビットは前記データ識別部における複数ビットであり、前記インターリーブ方向に有意化されるビット列は、前記データ識別部の前記識別ビット以外の各ビット位置におけるビット列であることを特徴とする請求項８に記載のデータ受信機。
【請求項１１】
前記識別ビットは前記データ識別部における最上位ビットの次位ビット及び／又は該次位ビットより下位のビットであることを特徴とする請求項９又は１０に記載のデータ受信機。
【発明の詳細な説明】
【０００１】
【発明の属する技術分野】
本発明は、複数パケットにより構成されるフレームの形態でデータを伝送するデータ伝送方法であって、該データは各パケットの同一ビット位置でインターリーブされて伝送されるデータ伝送方法に関する。
【０００２】
【従来の技術】
現在、高速移動中に地上データ放送の受信を可能とするＴＶデータ多重放送音声副搬送波方式が検討されている。これは、テレビジョン信号の音声信号帯域内のデータ信号副搬送波４．５ｆＨ及び７．５ｆＨ（ｆＨ＝１５．７３ｋＨｚ：水平同期パルス周波数）を伝送路として地上データ放送を行うものである。このような地上データ放送のサービスとしては、以下のようなものが検討されている。
１）電子メイルサービス
２）新聞、雑誌、ＴＶプログラム等のニュース
３）コンサート、映画、レストラン、ホテル等の空き情報
４）電車やバス等の時刻、遅延、座席の空き等の情報
５）交通渋滞、駐車場、ガソリンスタンド、トイレ、カーショップ等の情報
６）公共施設、病院、観光案内場等の情報
７）バーゲンセール等のショッピング情報
８）競馬、競輪等の娯楽遊興情報
９）株価等のファイナンス情報
１０）ＭＩＤＩデータ、ゲーム等のソフトウェア
１１）グループ、会社、学校等の限定された人々を対象とするいわゆるナローキャスト(narrow cast)
１２）地震、津波、火事等の災害情報
１３）スポーツ等の実況中継
１４）無線呼出し（ページャ）
しかし、無論こればかりではなく、サービスは将来より多様化の方向に進むものと考えられる。
【０００３】
このＴＶデータ多重放送音声副搬送波方式において、データは、図１に示されるようなフレームの形態で伝送される。この場合、１フレームは、１６ビットのフレーミングコード（フレーム同期信号）（ＦＣ）と１データパケット（２８８ビット）×３２行（パケット）の、計９２３２ビットから構成される。また、１データパケットは、サービス識別用の１６ビットのモードコントロール（ＭＣ）、１４ビットのプリフィックス（ＰＦ）、１７６ビットのサービスデータ（ＤＡＴ）及び誤り訂正用のチェック符号ビット（ＣＨＣ）から構成される。
【０００４】
またＴＶデータ多重放送副搬送波方式においては、誤り対策のために、フレーム同期信号の送信の後、１データパケット毎、すなわち、フレームの各行毎横方向にデータが伝送されるのではなく、図１において矢印により示されるように、縦方向に３２の深さでインターリーブされてデータが伝送される。すなわち、フレーム同期信号送信の後、当該フレーム第１行のＭＣの最上位ビットデータが伝送された後、該フレーム第２行のＭＣの最上位ビットデータが伝送され、以下同様に、第３２行のＭＣの最上位ビットデータが伝送された後、該フレーム第１行のＭＣの最上位ビットの次位ビットのビットデータが伝送される。
【０００５】
これは、データ復号を行うために、１フレーム全てのデータを受信する必要性が課される。まして、このフレームのサービスの種別を認識するにも、最低１パケットのＭＣの全てのデータが伝送された後でなければ認識することはできない。これは、データ復号のリアルタイム性に欠けるのみならず、サービスを享受する装置における長時間にわたる通電を必要とし、特に、移動受信を行う携帯機等の場合においては低消費電力化に制約を置くことになる。言い換えれば、この場合、必要としないサービスのデータが伝送された場合においても、該サービスを認識するために、最低１パケットのＭＣのデータ全てが伝送されるまで当該装置は通電し続けなければならない。
【０００６】
また、ＴＶデータ多重放送音声副搬送波方式においては、ＭＣは１６ビットから成るが、実際の情報ビットとしては５ビットしか割当てられていなく、残りの１１ビットは誤り訂正用である。図２は、ＴＶデータ多重放送音声副搬送波方式において現在定義されているサービスに割当てられたＭＣの情報ビットを示している。ｂ１〜ｂ５はＭＣの上位５ビットを表し、ｂ１が最上位ビットである。図２から分かるように、現在５つのサービスしか定義されていないが、これは将来多様化が進み、さらに増加するものと思われる。しかし、情報ビットに５ビットしか割当てられていないことから、ＭＣにより識別できるサービスは最大でも３２種類しかない。これは、将来ＴＶデータ多重放送音声副搬送波方式により提供されるであろうサービスの数に制約を与えることになる。さらに、図２に定義されるデータ放送に着目すると、このデータ放送によりさらに種々のサービスが提供される。しかし、前記データ放送により提供されるサービスの種別は、ＭＣにおいて認識することはできない。
【０００７】
さらに、ＭＣをパケット毎に対応させる必要のない場合、すなわち、１フレームのＭＣ全てが同一であるような場合には、特に第１行のパケットのＭＣのみが有効であり、残りの行のパケットのＭＣは冗長データである。これは、有限な資源の無駄遣いであり、ＭＣを有効的に活用しているとは言えない。
【０００８】
【発明の目的及び概要】
本発明は以上の点に着目してなされたもので、当該データのデータ伝送の早い段階でサービスの種別を特定でき、ゆえに、データ受信機の低消費電力化を実現でき、また将来予想される多様なサービスに対応でき、さらにはデータ識別部（ＭＣ）をより有効的に活用できるデータ伝送方法及びデータ受信機を提供することにある。
【０００９】
上述の目的を達成するために、本発明は、少なくともデータ部と該データ部に先立つデータ識別部とからなるパケット複数個により構成されるフレーム形態でデータを伝送するデータ伝送方法であって、該データは各パケットの同一ビット位置でインターリーブされて伝送されるデータ伝送方法において、前記データ識別部において前記インターリーブ方向にビット列が有意化されることを特徴とする。
【００１０】
本発明のデータ伝送方法の一実施例は、前記データ識別部において前記インターリーブ方向に有意化されるビット列が、フレーム識別子を含む、とりわけ、データ識別部における最上位ビットからなる前記ビット列が、フレーム識別子を含むことを特徴とする。
【００１１】
上述の目的を達成するために、本発明はまた、少なくともデータ部と該データ部に先立つデータ識別部とからなるパケット複数個により構成されるフレーム形態で伝送されるデータであって、各パケットの同一ビット位置でインターリーブされて伝送されるデータを受信するデータ受信機において、前記データ識別部において前記インターリーブ方向に有意化されるビット列をデコードするための手段が設けられることを特徴とする。
【００１２】
本発明のデータ受信機の一実施例は、前記データ識別部において前記インターリーブ方向に有意化されるビット列が、フレーム識別子を含む、とりわけ、データ識別部における最上位ビットからなる前記ビット列が、フレーム識別子を含むことを特徴とする。さらに、前記フレーム識別子が所望のフレームを識別する場合のみ、前記データ部をデコードすることを特徴とする。
【００１３】
本発明のデータ受信機の他の実施例は、前記データ識別部が識別ビットを含み、前記識別ビットが有効の場合のみ、前記データ識別部において前記インターリーブ方向に有意化されるビット列をデコードすることを特徴とする。さらに、前記識別ビットは前記データ識別部における１ビット又は複数ビットであり、前記インターリーブ方向に有意化されるビット列は、前記データ識別部の前記識別ビット以外の各ビット位置におけるビット列であることを特徴とする。さらに、前記識別ビットは前記データ識別部における最上位ビットの次位ビット及び／又は該次位ビットより下位のビットであることを特徴とする。
【００１４】
【発明の実施の形態】
本発明の方法を、ＴＶデータ多重音声副搬送波方式に関して説明する。
【００１５】
今、図２に示されるＭＣの情報ビットに着目すると、インターリーブされて伝送されるｂ２及びｂ３のビット列がローレベルビットからなっていることが分かる。本発明は、このようなインターリーブ方向に一定レベルのビット列のビットを識別ビットとして扱うものである。一例として、ＭＣのこれら５ビットのうち、例えば、ｂ２列におけるビットを識別ビットとする。無論、ｂ３列のビットを、同様に、識別ビットとすることも可能である。
【００１６】
本発明においては、前記識別ビットのビット値が有効である場合に、通常各パケットにおいて図２のようにパケット方向に５ビットワードで有意化されるＭＣを、パケットの各ビット位置における列方向に有意化、すなわち、インターリーブ方向に各ビット位置のビット列を有意化するものである。すなわち、図１に示されるようにデータ伝送が行われるＴＶデータ多重放送音声副搬送波方式においては、ＭＣの各ビット位置に関し、最大３２ビット長のインターリーブ方向のワードが形成されることとなる。なお、図２の例について考えると、ｂ２のビット値がハイレベルの場合が有効であり、このハイレベルビットが伝送された場合に、上述のようなインターリーブ方向のビット列の有意化が施される。無論、通常の識別ビットをハイレベルのビットとした場合、ローレベルビット値が有効であり、このローレベルビットが伝送された場合に、インターリーブ方向にビット列の有意化が施される。
【００１７】
前記識別ビットのビット値に応じて、前記インターリーブ方向にＭＣの各ビット列を有意化することにより、ＴＶデータ多重放送音声副搬送波方式の場合、フレーム単位では、最大３２ビット長のワードが、ｂ１、ｂ３、ｂ４及びｂ５列の４ワード生成されることとなる。これら４ワードの有意化により、多様なサービスの識別をデータ伝送の早い段階で実現することが可能である。
【００１８】
前述のように形成される４ワードの活用方法としては、例えば、以下のようなものが挙げられる。
【００１９】
例えば、フレームデータ伝送時ＭＣにおいて最初に伝送される最上位ビット、すなわち、ｂ１列により形成される３２ビットワードを、フレーム識別子とする。フレーム識別子とは、例えば、当該フレームのサービスの種別を表す情報及び／または、いわゆる、ＦＩＤ（フレームＩＤ）である。ＭＣのｂ１列をフレーム識別子とすることにより、当該フレームのＦＣ１６ビットとＭＣのｂ１列の３２ビットからなるワードとの、わずか計４８ビットのデータ受信のみにより、当該フレームが所望のフレームであるか、すなわち、該フレームが所望のサービスのデータであるかどうかを判断することができる。このフレーム識別子を採用することにより、移動受信、特に間欠受信を行うような携帯受信機において、大幅な省電力化を達成できる。しかし、３２ビットワード全てをフレーム識別子の情報ビットとして活用するのではなく、複数の識別子に分割することも可能であり、また、各識別子に対して誤り訂正用に数ビットをチェック符号ビット（ＣＨＣ）として割当てることが実用上望ましいであろう。
【００２０】
また、ｂ３、ｂ４、ｂ５列により形成される３２ビットワードには、以下のような種々の情報を割当てることが想像される。例えば、サービスの種別により異なるＩＤ、すなわち、例えば、当該サービスの番号、放送局の識別、番組番号や、限定受信ＩＤ、すなわち、例えば、受信機、受信者、地域、時間スロット／時刻等の限定ＩＤ、また、パラメータ、すなわち、例えば、パワーセーブレベル、連送回数（最大）、緊急レベル等のパラメータとしても良い。また、これらワードにおいても、３２ビット全てを情報ビットとして活用するのではなく、１ワード当たり複数の情報ビットに分割することも可能であり、また、各情報ビットに対して誤り訂正用に数ビットをチェック符号ビット（ＣＨＣ）として割当てることが実用上望ましいであろう。
【００２１】
これらインターリーブ方向に有意化された３２ビットワードの構造の一例を図３に示す。図３のａは、３２ビット全てを情報として扱う場合のワード構造を示す。この場合、１０ビットを情報ビットに割り当て、他の２２ビットは誤り訂正用のチェック符号ビットである。図３のｂは、１６ビットの情報を２つ割り当てた場合のワード構造を示す。この場合、５ビットを情報ビットに割り当て、他の１１ビットを誤り訂正用のチェック符号ビットに割り当てた情報が２種類使用できることとなる。無論、ワード構造は、これらに限定されるものではなく、多種多様な構造が利用可能であることに注意されたい。
【００２２】
前述のように、本発明は、識別ビットのビット値に応じてデータ識別部（ＭＣ）のインターリーブ方向の有意化を行うことにより、各種サービスをフレーム識別子及び他のインターリーブ方向ワードにより識別できるため、ＭＣ以降のデータを変形することなく、多様なサービスを提供することが可能である。また、サービスの識別を、フレーム識別子のみにより実現できるため、受信機の省電力化を計ることが可能である。なお、無論、識別ビットが無効を表す場合には、インターリーブ方向のビット列の有意化を施さず、通常通りのフレームデコード処理が実行されることに注意されたい。
【００２３】
本発明の実施例として、ＴＶデータ多重放送音声副搬送波方式による限定受信サービス、特に、無線呼出し（ページャ）サービスを提供する場合について述べたいと思う。
【００２４】
無線呼出し（ページャ）サービスは、簡単に述べると、サービス供給者が加入者にパーソナルＩＤ（加入者の電話番号）を供与し、該加入者は、携帯受信機によりサービスの提供を受けるものである。また、現在運用されている無線呼出しサービスは、専用の信号伝送路が割当てられ、携帯受信機は当該信号を間欠受信し、自身のフレームであることをフレームＩＤから識別し、さらに、パーソナルＩＤが伝送されてきたときのみデータをデコードすべく動作するように制御されている。
【００２５】
しかし、本発明の方法によれば、ＴＶデータ多重放送音声副搬送波方式のような多種のサービスを同一伝送路で提供するようなデータ放送において、無線呼出しサービスを提供することが可能となる。そして、自身の無線呼び出しサービスの識別は、図４にフローチャートで示されるように実行される。すなわち、携帯受信機の信号処理部は、ＦＣの受信後、例えば、ＭＣの最上位ビットの次位ビットである識別ビットを監視する。有効を表す識別ビットを受信した場合、例えば、メモリに記憶された各パケットの最上位ビットのデータからなるインターリーブ方向のワード化、すなわち、フレーム識別子のデコードを行い、また、該ワードに誤りが生じているかどうかをチェックする。誤りが生じている場合には、前記ワード中のチェック符号ビットにより誤り訂正処理、特にＴＶデータ多重放送音声副搬送波方式においてはＢＣＨにより誤り訂正処理が実行される。ここで、フレーム識別子には２種類の情報が割当てられることが想定される。すなわち、例えば６ビットからなるサービス種別用の識別子及び例えば８ビットからなるフレームＩＤ用の識別子である。すなわち、サービス種別用の識別子が無線呼出しサービスを表す場合に、次いで、フレームＩＤのチェックを行う。異なるサービスを示す識別子である場合、この携帯受信機はスリープ状態となる。フレームＩＤ用の識別子が自身のフレームＩＤと一致している場合、次いで、パーソナルＩＤ等の情報が収容される他の各インターリーブ方向ワードのデコードを行い、また、これらワードの誤りチェックを行う。なお、異なるフレームＩＤを示す識別子である場合にも、この携帯受信機はスリープ状態となる。
【００２６】
前記他のインターリーブ方向のワードに誤りが生じている場合には、前記と同様に、各ワード中のチェック符号ビットにより誤り訂正処理が実行される。この結果、この場合理解を簡単にするために、例えば１０ビットからなるパーソナルＩＤが自身のパーソナルＩＤと一致する場合、すなわち、所望のフレームである場合のみ、次いで伝送されるサービスデータを受信し、当該フレームのデコード処理に入る。しかしながら、パーソナルＩＤが異なる場合には、この携帯受信機はスリープ状態となる。
【００２７】
これらの処理は、ＭＣのデータ領域内で行われる処理である。すなわち、所望としないサービスや異なるフレームＩＤまたはフレームＩＤが同一であっても異なるパーソナルＩＤが伝送された場合であっても、最大でも全ＭＣのデータを受信することにより識別でき、携帯受信機をスリープ状態とすることができる。これは、携帯受信機の大幅な消費電力の減少を達成できることとなる。
【００２８】
また、無線呼出しサービス等においては、通常１フレームＩＤに対して複数人が割当てられる。すなわち、あるフレームＩＤの人口が極端に少なくなり、他のフレームＩＤの人口が極端に多くなるような状況が往々生じる。このような状況を回避するためにも本発明の方法は有利に使用することが可能である。すなわち、本発明によれば、フレームＩＤの識別子を複数、例えば、第１のフレームＩＤ用の識別子及び第２のフレームＩＤ用の識別子を用意し、他のワードを、例えば、第１のフレームＩＤの人口がある閾値を越えた場合に自身のフレームＩＤを第２のフレームＩＤに切替えるように有意化することが可能である。これにより、当該携帯受信機のフレームＩＤをハード的に変更することなく簡単に該携帯機のフレームＩＤの変更ができ、ゆえに、各フレームＩＤの人口の偏りを簡単に回避させることができるであろう。
【００２９】
前述においては、ｂ２やｂ３のように１ビットを識別ビットとして説明したが、無論識別ビットを１ビットに限定する必要はなく、複数ビットを識別ビットとし、より多様なサービスに適用させることも可能である。さらに、本発明はＴＶデータ多重放送音声副搬送波方式等の移動受信を目的としたデータ放送に限定されるものではなく、データ部及びＭＣのようなデータ識別部を持つ複数パケットから構成されるようなフレームを使用し、該データがインターリーブして伝送されるような構造であれば、固定受信を目的としたデータ放送であっても、ましてデータ放送を問わずどのようなデータ伝送にも適用可能であることに注意されたい。さらに、例えば、ある識別ビットが伝送され、該識別ビットによりインターリーブ方向に有意化されるデータ識別部（例えば、前述のＭＣ）において生成されるインターリーブ方向ワードが、当該パケットの後段の構成内容さえ指定するように有意化されることもまた可能であろう。さらに、前述のような（識別ビットに応じてインターリーブ方向ワードにて有意化された）一つのパーソナルＩＤが、複数のＦＩＤに対応するようにインターリーブ方向ワードを有意化することも有利であろう。
【００３０】
また、識別ビットは、１フレームの各パケットにおいて、全て同一の値である必要はないことに注意されたい。すなわち、１フレームにおいて、識別ビット値が有効であるパケットと、識別ビット値が無効であるパケットとが存在しても良い。これは、１フレームにおいて、無効の識別ビットを有するパケットに関しては、通常のようにパケット方向にデコードされ、有効の識別ビットを有するパケットに関しては、既に述べたようにインターリーブ方向のビット列がデコードされることを意味する。具体的には、例えば、１パケットにおいて、連続する５行のパケットが有効を表す識別ビットを有し、次行のパケットが無効を表す識別ビットを有するような場合、有効識別ビットを有するパケットに関しては、インターリーブ方向に５ビットからなるワードが形成され、次行の無効識別ビットを有するパケットに関しては、パケット方向にデコードされることを意味する。
【図面の簡単な説明】
【図１】  ＴＶデータ多重放送副搬送波方式におけるフレーム構成を示す図である。
【図２】  ＴＶデータ多重放送副搬送波方式におけるＭＣで定義されている情報ビットを表す図である。
【図３】  本発明によるデータ識別部のインターリーブ方向に有意化されるワードの構造例を示す図である。
【図４】  本発明の方法による、例として無線呼出しサービスの識別処理を表すフローチャートを示している。
【図１】
0003745870.tif 000002
【図２】
0003745870.tif 000003
【図３】
0003745870.tif 000004
【図４】
0003745870.tif 000005